(57)【要約】  無線信号である操作信号を受信する操作信号受信部（１２）と、前記操作信号よりも狭い指向性を有する無線信号である選択信号を受信する選択信号受信部（１１）と、前記選択信号受信部（１２）による選択信号の受信状況と前記操作信号受信部（１１）による操作信号の受信状況とに基づいて、当該操作信号に応じた動作を行う制御部（１３）と、を有する。
2014188582.tif 000002
【特許請求の範囲】
【請求項１】
無線信号である操作信号を受信する操作信号受信部と、
前記操作信号よりも狭い指向性を有する無線信号である選択信号を受信する選択信号受信部と、
前記選択信号受信部による選択信号の受信状況と前記操作信号受信部による操作信号の受信状況とに基づいて、当該操作信号に応じた動作を行う制御部と、
を有することを特徴とする表示装置。
【請求項２】
前記制御部は、前記操作信号を受信した際に前記選択信号を受信したか否かを判定し、当該選択信号を受信している場合には、当該操作信号に応じた動作を行うことを特徴とする請求項１記載の表示装置。
【請求項３】
前記制御部は、前記操作信号を受信した際に前記選択信号を受信してから所定の時間内に当該操作信号を受信したか否かを判定し、当該所定の時間内に当該操作信号を受信している場合には、当該操作信号に応じた動作を行うことを特徴とする請求項１または請求項２記載の表示装置。
【請求項４】
前記制御部は、前記操作信号を受信した際、前記選択信号を受信したか否かを判定し、当該選択信号を受信していない場合には、前記受信した操作信号に応じた動作を行わないことを特徴とする請求項１または請求項２に記載の表示装置。
【請求項５】
選択信号を送信する選択信号送信部と、
操作内容に応じた操作信号を前記選択信号よりも広い指向性で前記選択信号の送信方向に送信する操作信号送信部と、
を有することを特徴とするリモコン装置。
【請求項６】
前記選択信号は、レーザ光であることを特徴とする請求項５記載のリモコン装置。
【請求項７】
複数の表示装置と該複数の表示装置を遠隔操作するリモコン装置とからなる遠隔操作システムであって、
前記複数の表示装置は、各々、
無線信号である操作信号を受信する操作信号受信部と、
前記操作信号よりも狭い指向性を有する無線信号である選択信号を受信する選択信号受信部と、
前記選択信号受信部による選択信号の受信状況と前記操作信号受信部による操作信号の受信状況とに基づいて、当該操作信号に応じた動作を行う制御部と、
を備え、
前記リモコン装置は、
選択信号を送信する選択信号送信部と、
操作内容に応じた操作信号を前記選択信号の送信方向に出力する操作信号送信部と、
を備える
ことを特徴とする遠隔操作システム。
【請求項８】
無線信号である操作信号を受信する操作信号受信ステップと、
前記操作信号よりも狭い指向性を有する無線信号である選択信号を受信する選択信号受信ステップと、
前記選択信号受信ステップにおける選択信号の受信状況と前記操作信号受信ステップにおける操作信号の受信状況とに基づいて、当該操作信号に応じた動作を行う制御ステップと、
を含むことを特徴とする制御方法。
【請求項９】
選択信号を送信する選択信号送信ステップと、
操作内容に応じた操作信号を前記選択信号の送信方向に出力する操作信号出力ステップと、
を含むことを特徴とする遠隔操作方法。
【発明の詳細な説明】
【技術分野】
【０００１】
本発明は、表示装置、リモコン装置、遠隔操作システム、制御方法、及び遠隔操作方法に関する。
【背景技術】
【０００２】
画像表示装置を複数台利用したシステムにおいて、リモコンで特定の単一機器の制御を行う技術が提案されている（例えば特許文献１参照）。例えば、複数画面のうちいずれかの画面に対して操作を行う場合に、その画面に対応する表示装置のリモコン受光部にリモコンを向けて操作を行う。この時、各表示装置の受光部が受光した操作信号の受信レベルを比較し、受信レベルが高かった表示装置が、その操作信号に応じた処理を行う。
【先行技術文献】
【特許文献】
【０００３】
【特許文献１】特開２０１１−８７２０４号公報
【発明の概要】
【発明が解決しようとする課題】
【０００４】
ところで、上述した技術では、ユーザが、操作対象の表示装置に正しくリモコンを向けて操作したつもりであっても、例えば、隣接して設置された表示装置の受光部どうしの距離が近い場合や、マルチモニタからユーザがある程度離れた位置からリモコンを操作した場合においては、操作対象外の表示装置の受光部の方が、受信レベルが高くなってしまう可能性もあり、必ずしも操作対象の表示装置が確実に操作信号に応じた動作を行うことができるとは限らない、という問題がある。【０００５】
また、特許文献１に記載されたシステムとは別の構成として、各表示装置に表示装置ＩＤを割り当て、その表示装置ＩＤをリモコンにて指定することで、操作対象の表示装置を特定することも考えられる。しかしながら、表示装置ＩＤを事前に割り当てることが煩雑であり、また、割り当てた表示装置ＩＤをユーザが覚えておき、リモコン操作を行う都度、表示装置ＩＤを入力することは煩雑である、という問題がある。
本発明の目的は、上述した問題を解決する表示装置、リモコン装置、遠隔操作システム、制御方法、および遠隔操作方法を提供することにある。
【課題を解決するための手段】
【０００６】
本発明は、無線信号である操作信号を受信する操作信号受信部と、前記操作信号よりも狭い指向性を有する無線信号である選択信号を受信する選択信号受信部と、前記選択信号受信部による選択信号の受信状況と前記操作信号受信部による操作信号の受信状況とに基づいて、当該操作信号に応じた動作を行う制御部と、を有することを特徴とする。【０００７】
また、本発明は、選択信号を送信する選択信号送信部と、操作内容に応じた操作信号を前記選択信号よりも広い指向性で前記選択信号の送信方向に送信する操作信号送信部と、を有することを特徴とする。【０００８】
また、本発明は、複数の表示装置と該複数の表示装置を遠隔操作するリモコン装置とからなる遠隔操作システムであって、前記複数の表示装置は、各々、無線信号である操作信号を受信する操作信号受信部と、前記操作信号よりも狭い指向性を有する無線信号である選択信号を受信する選択信号受信部と、前記選択信号受信部による選択信号の受信状況と前記操作信号受信部による操作信号の受信状況とに基づいて、当該操作信号に応じた動作を行う制御部と、を備え、前記リモコン装置は、選択信号を送信する選択信号送信部と、操作内容に応じた操作信号を前記選択信号の送信方向に出力する操作信号送信部と、を備えることを特徴とする。【０００９】
また、本発明は、無線信号である操作信号を受信する操作信号受信ステップと、前記操作信号よりも狭い指向性を有する無線信号である選択信号を受信する選択信号受信ステップと、前記選択信号受信ステップにおける選択信号の受信状況と前記操作信号受信ステップにおける操作信号の受信状況とに基づいて、当該操作信号に応じた動作を行う制御ステップと、を含むことを特徴とする制御方法である。【００１０】
また、本発明は、選択信号を送信する選択信号送信ステップと、操作内容に応じた操作信号を前記選択信号の送信方向に出力する操作信号出力ステップと、を含むことを特徴とする遠隔操作方法である。
【発明の効果】
【００１１】
本発明の表示装置は、操作信号の受信状況と選択信号の受信状況に基づいて、操作信号に応じた動作を行うようにしたので、操作信号を受信した際に、選択信号を受信していなければ、この操作信号に応じた動作を行わないため、自身を対象として送信された操作信号であるか否かを識別することができるという利点がある。
【図面の簡単な説明】
【００１２】
【図１】第１実施態様による表示装置１０の構成を示すブロック図である。
【図２】第２実施態様によるリモコン装置２０の構成を示すブロック図である。
【図３】第３実施態様による表示装置１００の外観を示す外観図である。
【図４】第３実施態様による表示装置１００の構成を示すブロック図である。
【図５】第３実施態様によるリモコン装置２００の外観を示す外観図である。
【図６】第３実施態様によるリモコン装置２００の構成を示すブロック図である。
【図７】第３実施態様による表示装置１００のリモコン信号受信処理の説明するためのフローチャートである。
【図８】第３実施態様による表示装置１００の使用例を示す概念図である。
【図９】第４実施態様による表示装置１００の使用例を示す概念図である。
【図１０】第５実施態様の表示装置１００でのタイマ処理を説明するためのフローチャートである。
【図１１】第５実施態様の表示装置１００でのリモコン受信処理を説明するためのフローチャートである。
【発明を実施するための形態】
【００１３】
図１は、本発明装置の第１実施態様による表示装置１０の構成を示すブロック図である。図１において、表示装置１０は、選択信号受信部１１と、操作信号受信部１２と、制御部１３とを備えている。選択信号受信部１１は、操作信号よりも狭い指向性を有する無線信号である選択信号を受信する。操作信号受信部１２は、無線信号である操作信号を受信する。制御部１３は、選択信号受信部１１による選択信号の受信状況と操作信号受信部１２による操作信号の受信状況とに基づいて、当該操作信号に応じた動作を行う。
【００１４】
上述した第１実施態様によれば、操作信号の受信状況と選択信号の受信状況に基づいて、操作信号に応じた動作を行うようにしたので、操作信号を受信した際に、選択信号を受信していなければ、この操作信号に応じた動作を行わないため、自身を対象として送信された操作信号であるか否かを識別することができる。
【００１５】
図２は、本発明装置の第２実施態様によるリモコン装置２０の構成を示すブロック図である。図２において、リモコン装置２０は、選択信号送信部２１と、操作信号送信部２２とを備えている。選択信号送信部２１は、選択信号を送信する。操作信号送信部２２は、操作内容に応じた操作信号を前記選択信号よりも広い指向性で前記選択信号の送信方向に送信する。
【００１６】
上述した第２実施態様によれば、選択信号の送信方向に、操作内容に応じた操作信号を送信するようにしたので、所望する方向の装置に対して操作信号を出力することができる。
【００１７】
図３は、本発明装置の第３実施態様による表示装置１００の外観を示す外観図である。図３において、表示装置１００は、直視型画像表示装置であり、装置の正面には、操作信号の一例である赤外線を受光する赤外線受光部１０１と、選択信号の一例であるレーザ光を検出する光センサ１０２とが配置されている。
【００１８】
図４は、第３実施態様による表示装置１００の構成を示すブロック図である。図４において、表示装置１００は、赤外線受光部１０１と、光センサ１０２と、制御部１０３とを備えている。制御部１０３は、光センサ１０２によりレーザ光を受信し、かつ、赤外線受光部１０１により操作信号を受信した場合に、操作信号に応じた動作を行う。
【００１９】
図５は、本発明装置の第３実施態様によるリモコン装置２００の外観を示す外観図である。図５において、リモコン装置２００の先端部には、選択信号の一例であるレーザ光を発光するレーザ発光部２０１と、操作信号の一例である赤外線を送信する赤外線送信部２０２とが配設されている。また、リモコン装置２００の側面は、操作部２０３が配設されている。ユーザは、操作したい装置（表示装置１００）にレーザ発光部２０１と赤外線送信部２０２とを向けて、操作部２０３を操作する。これにより、赤外線送信部２０２からは、操作部２０３の操作に応じた操作信号が出力される。レーザ発光部２０１と赤外線送信部２０２との光軸とは、ほぼ平行であるので、赤外線送信部２０２からの操作信号は、レーザ発光部２０１からのレーザ光の照射方向に出力される。ここで、選択信号と操作信号はいずれも無線信号であり、選択信号の指向性は、操作信号の指向性よりも狭い。
【００２０】
図６は、第３実施態様によるリモコン装置２００の構成を示すブロック図である。図６において、リモコン装置２００は、レーザ発光部２０１と、赤外線送信部２０２と、操作部２０３と、制御部２０４とを備えている。操作部２０３は、押しボタンスイッチや、タッチセンサなどからなり、操作に応じた信号を制御部２０４に供給する。制御部２０４は、操作部２０３の操作に応じた操作信号を赤外線信号に変調し、赤外線送信部２０２から操作信号に応じた赤外線を送信する。このとき、制御部２０４は、レーザ発光部２０１からレーザ光を照射する。また、ここで、選択信号と操作信号はいずれも無線信号であり、選択信号の指向性は、操作信号の指向性よりも狭い。
【００２１】
図７は、第３実施態様による表示装置１００のリモコン信号受信処理の説明するためのフローチャートである。表示装置１００において、制御部１０３は、リモコン装置２００の赤外線送信部２０２からの操作信号を赤外線受光部１０１で受信すると（ステップＳ１０）、光センサ１０２で同リモコン装置２００のレーザ発光部２０１からのレーザ光を受光しているか否かを判定する（ステップＳ１１）。そして、光センサ１０２でレーザ光を受光している場合には（ステップＳ１１のＹＥＳ）、制御部１０３は、赤外線受光部１０１で受信した操作信号に従って受信処理（操作信号に応じた動作）を実行する（ステップＳ１２）。一方、光センサ１０２でレーザ光を受光していない場合には（ステップＳ１１のＮＯ）、制御部１０３は、赤外線受光部１０１で受信した操作信号を破棄する（ステップＳ１３）。
【００２２】
図８は、第３実施態様による表示装置１００の使用例を示す概念図である。図８において、表示装置１００−１〜１００−４を４面並べたシステムを示す。表示装置１００−１〜１００−４は、それぞれに赤外線受光部１０１−１〜１０１−４と、光センサ１０２−１〜１０２−４とを備えている。例えば、ユーザは、表示装置１００−１に対して操作を行いたい場合、リモコン装置２００のレーザ発光部２０１から発光するレーザ光を、操作対象となる表示装置１００−１の光センサ１０２−１に当てる。その後、ユーザがリモコン装置２００の操作部２０３を操作することで、赤外線送信部２０２から、操作に応じた操作信号が送信される。これにより、光センサ１０２−１によりレーザ光を受信した表示装置１００−１が、赤外線受光部１０１−１により操作信号を受信することになり、当該操作信号に応じた動作を行う。
【００２３】
上述した第３実施態様によれば、レーザ光を受信し、かつ、操作信号を受信した表示装置１００が、操作信号に応じた動作を行うようにしたので、ユーザの意図に合致する表示装置１００を操作することができる。また、ユーザは、操作したい表示装置１００に向けてリモコン装置２００を操作すればよいので、容易に特定の表示装置１００を操作することができる。
【００２４】
図９は、本発明装置の第４実施態様による表示装置１００の使用例を示す概念図である。前述した第３実施態様では、表示装置１００を、「直視型」としたが、プロジェクターのような投射型画像表示装置においても、本発明は適用可能である。図９において、横一列に並べて配置された投射型画像表示装置３００−１〜３００−３は、それぞれのスクリーン４００−１〜４００−３に画像を投射する。投射型画像表示装置３００−１〜３００−３は、それぞれに赤外線受光部３０１−１〜３０１−３と、光センサ３０２−１〜３０２−３とを備えている。
【００２５】
ユーザは、例えば、投射型画像表示装置３００−１に対して操作を行いたい場合、リモコン装置２００のレーザ発光部２０１から発光するレーザ光を、操作対象となる投射型画像表示装置３００−１の光センサ３０２−１に当てる。その後、ユーザがリモコン装置２００の操作部２０３を操作することで、赤外線送信部２０２から、操作に応じた操作信号が送信される。これにより、光センサ３０２−１によりレーザ光を受信した投射型画像表示装置３００−１が、赤外線受光部３０１−１により操作信号を受信することになり、当該操作信号に応じた動作を行う。
【００２６】
それ以外の投射型画像表示装置３００−２、３００−３では、赤外線受光部３０１−２、３０１−３により操作信号を受信したとしても、光センサ３０２−２、３０２−３によりレーザ光を受信しないので、操作信号を破棄することになり、当該操作信号に応じた動作は行われない。
【００２７】
前述した、第１実施態様乃至４では、表示装置１００は、リモコン装置２００からの赤外線を赤外線受光部１０１で受信中に、光センサ１０２でレーザ光も受光している必要がある。これに対して、第５実施態様では、レーザ光を照射させながらリモコン操作を行わなくてもよいように、一定時間のタイマ処理を実装することを特徴としている。
【００２８】
図１０は、第５実施態様の表示装置１００でのタイマ処理を説明するためのフローチャートである。表示装置１００において、制御部１０３は、まず、光センサ１０２でリモコン装置２００のレーザ発光部２０１からのレーザ光を受光しているか否かを判定する（ステップＳ２０）。そして、光センサ１０２でレーザ光を受光している場合には（ステップＳ２０のＹＥＳ）、制御部１０３は、タイマの稼動を開始し（ステップＳ２１）、受光中フラグを有効とする（ステップＳ２３）。その後、ステップＳ２０に戻る。
【００２９】
一方、光センサ１０２でレーザ光を受光していない場合には（ステップＳ２０のＮＯ）、制御部１０３は、タイマが稼働中であるか否かを判定する（ステップＳ２２）。そして、タイマが稼働中である場合には（ステップＳ２２のＹＥＳ）、受光中フラグを有効とする（ステップＳ２３）。その後、ステップＳ２０に戻る。つまり、一旦、光センサ１０２でレーザ光を受光し、タイマを稼働させた後、タイマが稼働中であれば、光センサ１０２でレーザ光を受光していなくても、受光中フラグは有効のままとする。
【００３０】
一方、光センサ１０２でレーザ光を受光しておらず（ステップＳ２０のＮＯ）、かつ、タイマが稼働中でない場合には（ステップＳ２２のＮＯ）、制御部１０３は、タイマを停止し（ステップＳ２４）、受光中フラグを無効とする（ステップＳ２５）。その後、ステップＳ２０に戻る。
【００３１】
図１１は、第５実施態様の表示装置１００でのリモコン受信処理を説明するためのフローチャートである。表示装置１００において、制御部１０３は、リモコン装置２００の赤外線送信部２０２からの操作信号を赤外線受光部１０１で受信すると（ステップＳ３０）、受光中フラグが有効であるか否かを判定する（ステップＳ３１）。そして、受光中フラグが有効である場合には（ステップＳ３１のＹＥＳ）、制御部１０３は、赤外線受光部１０１で受信した操作信号に従って受信処理（操作信号に応じた動作）を実行する（ステップＳ３２）。一方、受光中フラグが無効である場合には（ステップＳ３１のＮＯ）、制御部１０３は、赤外線受光部１０１で受信した操作信号を破棄する（ステップＳ３３）。
【００３２】
上述した第５実施態様によれば、レーザ光を受光してから一定時間内に、赤外線の操作信号を受信した場合に、操作信号に応じた動作を行うようにしたので、リモコン装置２００側においては、レーザ光の照射と操作信号の送信との両方を行う必要がない。
【００３３】
また、上述した第５実施態様によれば、複数の表示装置１００に対してレーザ光を照射することで、タイマが稼働している間、レーザ光を照射した複数の表示装置１００の受光中フラグが有効となるので、すなわち、所定の時間内であれば、複数台ある表示装置１００のうち特定の２台以上を対象として操作信号に応じた動作を行うことができる。
【００３４】
また、図１における制御部１３の機能を実現するためのプログラムをコンピュータ読み取り可能な記録媒体に記録して、この記録媒体に記録されたプログラムをコンピュータシステムに読み込ませ、実行することによりリモコン信号受信処理やタイマ処理などを行ってもよい。なお、ここでいう「コンピュータシステム」とは、ＯＳや周辺機器等のハードウェアを含むものとする。
【００３５】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、サーバやクライアントとなるコンピュータシステム内部の揮発性メモリのように、一定時間プログラムを保持しているものを含むものとする。また上記プログラムは、前述した機能の一部を実現するためのものであっても良く、さらに前述した機能をコンピュータシステムにすでに記録されているプログラムとの組み合わせで実現できるものであってもよい。また、上記のプログラムを所定のサーバに記憶させておき、他の装置からの要求に応じて、当該プログラムを、通信回線を介して配信（ダウンロード等）させるようにしてもよい。
【００３６】
以上、この発明の実施形態について図面を参照して詳述してきたが、具体的な構成はこの実施形態に限られるものではなく、この発明の要旨を逸脱しない範囲の設計等も含まれる。
【符号の説明】
【００３７】
１０、１００、１００−１〜１００−４  表示装置
１１  選択信号受信部
１２  操作信号受信部
２０、２００  リモコン装置
２１  選択信号送信部
２２  操作信号送信部
１０１、１０１−１〜１０１−４  赤外線受光部
１０２、１０２−１〜１０２−４  光センサ
１０３  制御部
２０１  レーザ発光部
２０２  赤外線送信部
２０３  操作部
２０４  制御部
３００−１〜３００−３  投射型画像表示装置
３０１−１〜３０１−３  赤外線受光部
３０２−１〜３０２−３  光センサ
４００−１〜４００−３  スクリーン
【図１】
2014188582.tif 000003
【図２】
2014188582.tif 000004
【図３】
2014188582.tif 000005
【図４】
2014188582.tif 000006
【図５】
2014188582.tif 000007
【図６】
2014188582.tif 000008
【図７】
2014188582.tif 000009
【図８】
2014188582.tif 000010
【図９】
2014188582.tif 000011
【図１０】
2014188582.tif 000012
【図１１】
2014188582.tif 000013
【手続補正書】
【提出日】平成28年11月28日(2016.11.28)
【手続補正１】
【補正対象書類名】特許請求の範囲
【補正対象項目名】全文
【補正方法】変更
【補正の内容】
【特許請求の範囲】
【請求項１】
無線信号である操作信号を受信する操作信号受信部と、
前記操作信号よりも狭い指向性を有する無線信号である選択信号を受信する選択信号受信部と、
前記選択信号受信部による選択信号の受信状況と前記操作信号受信部による操作信号の受信状況とに基づいて、当該操作信号に応じた動作を行う制御部と、
を有し、
前記制御部は、前記操作信号を受信した際に前記選択信号を受信してから所定の時間内に当該操作信号を受信したか否かを判定し、当該所定の時間内に当該操作信号を受信している場合には、当該操作信号に応じた動作を行う
ことを特徴とする表示装置。
【請求項２】
請求項１に記載の表示装置に対して前記選択信号及び前記操作信号を送信するリモコン装置であって、
前記選択信号を送信する選択信号送信部と、
操作内容に応じた前記操作信号を前記選択信号よりも広い指向性で前記選択信号の送信方向に送信する操作信号送信部と、
を有する
ことを特徴とするリモコン装置。
【請求項３】
前記選択信号は、レーザ光であることを特徴とする請求項２記載のリモコン装置。
【請求項４】
複数の表示装置と該複数の表示装置を遠隔操作するリモコン装置とからなる遠隔操作システムであって、
前記複数の表示装置は、各々、
無線信号である操作信号を受信する操作信号受信部と、
前記操作信号よりも狭い指向性を有する無線信号である選択信号を受信する選択信号受信部と、
前記選択信号受信部による選択信号の受信状況と前記操作信号受信部による操作信号の受信状況とに基づいて、当該操作信号に応じた動作を行う制御部と、
を備え、
前記リモコン装置は、
選択信号を送信する選択信号送信部と、
操作内容に応じた操作信号を前記選択信号の送信方向に出力する操作信号送信部と、
を備え、
前記制御部は、前記操作信号を受信した際に前記選択信号を受信してから所定の時間内に当該操作信号を受信したか否かを判定し、当該所定の時間内に当該操作信号を受信している場合には、当該操作信号に応じた動作を行う
ことを特徴とする遠隔操作システム。
【請求項５】
無線信号である操作信号を受信する操作信号受信ステップと、
前記操作信号よりも狭い指向性を有する無線信号である選択信号を受信する選択信号受信ステップと、
前記選択信号受信ステップにおける選択信号の受信状況と前記操作信号受信ステップにおける操作信号の受信状況とに基づいて、当該操作信号に応じた動作を行う制御ステップと、
を含み、
前記制御ステップは、前記操作信号を受信した際に前記選択信号を受信してから所定の時間内に当該操作信号を受信したか否かを判定し、当該所定の時間内に当該操作信号を受信している場合には、当該操作信号に応じた動作を行う
ことを特徴とする制御方法。
【請求項６】
請求項１に記載の表示装置に対して前記選択信号及び前記操作信号を送信する遠隔操作方法であって、
前記選択信号を送信する選択信号送信ステップと、
操作内容に応じた前記操作信号を前記選択信号の送信方向に出力する操作信号出力ステップと、
を含む
ことを特徴とする遠隔操作方法。
【請求項７】
請求項１に記載の表示装置であって、
前記制御部は、前記操作信号を受信した際に前記選択信号を受信してから所定の時間内に当該操作信号を受信したか否かを判定し、当該所定の時間内に当該操作信号を受信している場合には、前記選択信号の受信状況にかかわらず当該操作信号に応じた動作を行う
ことを特徴とする表示装置。
【請求項８】
無線信号である操作信号を受信する操作信号受信部と、
前記操作信号よりも狭い指向性を有する無線信号である選択信号を受信する選択信号受信部と、
前記選択信号受信部による選択信号の受信状況と前記操作信号受信部による操作信号の受信状況とに基づいて、当該操作信号に応じた動作を行う制御部と、
を有し、
前記制御部は、
前記選択信号を受信した場合はフラグを有効とし、前記選択信号を受信していない場合であって、最後に前記選択信号を受信してから所定の時間が経過した場合は、前記フラグを無効とし、
前記操作信号を受信した際に前記フラグが有効である場合には、当該操作信号に応じた動作を行う
ことを特徴とする表示装置。
【手続補正２】
【補正対象書類名】明細書
【補正対象項目名】０００６
【補正方法】変更
【補正の内容】
【０００６】
本発明は、無線信号である操作信号を受信する操作信号受信部と、前記操作信号よりも狭い指向性を有する無線信号である選択信号を受信する選択信号受信部と、前記選択信号受信部による選択信号の受信状況と前記操作信号受信部による操作信号の受信状況とに基づいて、当該操作信号に応じた動作を行う制御部と、を有し、前記制御部は、前記操作信号を受信した際に前記選択信号を受信してから所定の時間内に当該操作信号を受信したか否かを判定し、当該所定の時間内に当該操作信号を受信している場合には、当該操作信号に応じた動作を行うことを特徴とする表示装置である。
【手続補正３】
【補正対象書類名】明細書
【補正対象項目名】０００７
【補正方法】変更
【補正の内容】
【０００７】
また、本発明は、上記記載の表示装置に対して前記選択信号及び前記操作信号を送信するリモコン装置であって、前記選択信号を送信する選択信号送信部と、操作内容に応じた前記操作信号を前記選択信号よりも広い指向性で前記選択信号の送信方向に送信する操作信号送信部と、を有することを特徴とするリモコン装置である。
【手続補正４】
【補正対象書類名】明細書
【補正対象項目名】０００８
【補正方法】変更
【補正の内容】
【０００８】
また、本発明は、複数の表示装置と該複数の表示装置を遠隔操作するリモコン装置とからなる遠隔操作システムであって、前記複数の表示装置は、各々、無線信号である操作信号を受信する操作信号受信部と、前記操作信号よりも狭い指向性を有する無線信号である選択信号を受信する選択信号受信部と、前記選択信号受信部による選択信号の受信状況と前記操作信号受信部による操作信号の受信状況とに基づいて、当該操作信号に応じた動作を行う制御部と、を備え、前記リモコン装置は、選択信号を送信する選択信号送信部と、操作内容に応じた操作信号を前記選択信号の送信方向に出力する操作信号送信部と、を備え、前記制御部は、前記操作信号を受信した際に前記選択信号を受信してから所定の時間内に当該操作信号を受信したか否かを判定し、当該所定の時間内に当該操作信号を受信している場合には、当該操作信号に応じた動作を行うことを特徴とする遠隔操作システムである。
【手続補正５】
【補正対象書類名】明細書
【補正対象項目名】０００９
【補正方法】変更
【補正の内容】
【０００９】
また、本発明は、無線信号である操作信号を受信する操作信号受信ステップと、前記操作信号よりも狭い指向性を有する無線信号である選択信号を受信する選択信号受信ステップと、前記選択信号受信ステップにおける選択信号の受信状況と前記操作信号受信ステップにおける操作信号の受信状況とに基づいて、当該操作信号に応じた動作を行う制御ステップと、を含み、前記制御ステップは、前記操作信号を受信した際に前記選択信号を受信してから所定の時間内に当該操作信号を受信したか否かを判定し、当該所定の時間内に当該操作信号を受信している場合には、当該操作信号に応じた動作を行うことを特徴とする制御方法である。
【手続補正６】
【補正対象書類名】明細書
【補正対象項目名】００１０
【補正方法】変更
【補正の内容】
【００１０】
また、本発明は、上記記載の表示装置に対して前記選択信号及び前記操作信号を送信する遠隔操作方法であって、前記選択信号を送信する選択信号送信ステップと、操作内容に応じた前記操作信号を前記選択信号の送信方向に出力する操作信号出力ステップと、を含むことを特徴とする遠隔操作方法である。
また、本発明は、上記記載の表示装置であって、前記制御部は、前記操作信号を受信した際に前記選択信号を受信してから所定の時間内に当該操作信号を受信したか否かを判定し、当該所定の時間内に当該操作信号を受信している場合には、前記選択信号の受信状況にかかわらず当該操作信号に応じた動作を行うことを特徴とする表示装置である。
また、本発明は、無線信号である操作信号を受信する操作信号受信部と、前記操作信号よりも狭い指向性を有する無線信号である選択信号を受信する選択信号受信部と、前記選択信号受信部による選択信号の受信状況と前記操作信号受信部による操作信号の受信状況とに基づいて、当該操作信号に応じた動作を行う制御部と、を有し、前記制御部は、前記選択信号を受信した場合はフラグを有効とし、前記選択信号を受信していない場合であって、最後に前記選択信号を受信してから所定の時間が経過した場合は、前記フラグを無効とし、前記操作信号を受信した際に前記フラグが有効である場合には、当該操作信号に応じた動作を行うことを特徴とする表示装置である。
【国際調査報告】
2014188582.tif 000014
2014188582.tif 000015